(57)【特許請求の範囲】
【請求項１】
複数の刺繍用の模様の模様データを格納した模様データ記憶手段と、複数の模様を表示可能なディスプレイを含む表示手段とを備えた縫製装置において、
複数の模様を縮小表示する順次表示モードを設定する為のモード設定手段と、
前記順次表示モードのとき模様データ記憶手段から模様データを順次読出し、模様データから模様の外側を囲む枠のデータを消去してから所定倍率で縮小した模様のデータに変換するデータ変換手段と、
前記データ変換手段から複数の縮小模様のデータを順次受けて表示手段に供給し、複数の縮小模様をディスプレイに表示させるように表示手段に指令する表示制御手段と、
を備えたことを特徴とする縫製装置用模様表示装置。
【請求項２】
前記ディスプレイは、表示された複数の縮小模様を個別に指定する為の複数のタッチキーを有することを特徴とする請求項１に記載の縫製装置用模様表示装置。
【請求項３】
前記模様データ記憶手段における各模様データは、刺繍縫製に関連する付随情報を含み、前記タッチキーを介して１つの縮小模様が指定されたとき、その指定された縮小模様に対応する前記付随情報を読み出して表示手段に表示させる付随情報表示制御手段を備えたことを特徴とする請求項２に記載の縫製装置用模様表示装置。
【請求項４】
前記模様データ記憶手段は、縫製装置の制御ユニットに着脱自在に接続される外部記録媒体であることを特徴とする請求項３に記載の縫製装置用模様表示装置。
【請求項５】
前記モード設定手段は、外部記録媒体が縫製装置に装着されて縫製装置の電源が投入されたときに、順次表示モードを自動的に設定するように構成されたことを特徴とする請求項４に記載の縫製装置用模様表示装置。
【請求項６】
前記モード設定手段は、縫製装置の制御ユニットの不揮発性メモリに格納されたモード設定データに基づいて順次表示モードを設定することを特徴とする請求項５に記載の縫製装置用模様表示装置。
【請求項７】
前記モード設定手段は、縫製装置の制御ユニットに接続されたモード設定スイッチを有することを特徴とする請求項３に記載の縫製装置用模様表示装置。
【請求項８】
複数の刺繍用の模様の模様データを格納した模様データ記憶手段と、複数の模様を表示可能なディスプレイを含む表示手段とを備えた縫製装置において、
複数の模様を接近表示する順次表示モードを設定する為のモード設定手段と、
模様データを順次読出し且つ各模様の模様データから模様の外側を囲む枠のデータを消去する処理を施してから表示手段に供給し、模様同士間の間隔を模様選択時よりも接近させて複数の模様をディスプレイに表示させるように表示手段に指令する表示制御手段と、  を備えたことを特徴とする縫製装置用模様表示装置。
【請求項９】
前記表示制御手段は、各模様を縮小する処理を各模様の模様データに施すことを特徴とする請求項８に記載の縫製装置用模様表示装置。
【発明の詳細な説明】
【０００１】
【発明の属する技術分野】
本発明は、縫製装置用模様表示装置に関し、特に所定のモード下に模様を順次縮小処理して複数の縮小模様をディスプレイに表示させ、模様を指定した際には表示画面を切換えて指定した模様の刺繍縫製に関連する付随情報（糸色、色数、縫製時間等）を表示可能にしたものに関する。
【０００２】
【従来の技術】
従来、刺繍ミシン等の縫製装置では、制御装置内又は外部記録媒体に複数の刺繍模様の模様データを格納しておき、ディスプレイに模様を表示させ表示画面を切換えつつ所望の模様を検索し、所望の模様が選択されたときにはその選択模様の模様データを読出して刺繍縫製することができる。前記模様選択の際の模様の表示方式としては種々の技術が提案され実用化されている。
【０００３】
例えば、特開平５−４２２６８号公報に記載のミシンにおいては、ミシンの制御ユニットの不揮発性メモリに複数の刺繍模様の模様データを格納しておき、模様選択の際には指定された模様群の数個の模様ずつ表示し、所望の模様が表示されるまで表示画面を切換え、所望の模様が表示されたときに模様選択するように構成してある。この場合、ディスプレイに表示される模様は模様データに何ら処理を施すことなく、模様データで決まるサイズでまた模様データで決まる配列順序で表示され、各模様はその外側を矩形枠で囲んだ状態で表示される。
【０００４】
特許第２５６１６５号公報の装置では、複数の模様の模様データが外部記録媒体に予め格納され、縫製しようとする模様の模様番号が入力されると、その模様番号で指定される刺繍模様の模様データを外部記録媒体から読み出してディスプレイに表示するように構成してある。この場合も、模様データに何ら処理を施すことなく、模様データで決まるサイズで指定した１つの模様のみが表示される。
【０００５】
このように、従来の縫製装置用模様表示装置では、模様選択の際に少数の模様をディスプレイに表示できるだけであり、模様データで決まるサイズで表示される。また、模様データのうちの一部のデータを消去して表示するという技術も提案されていない。また、刺繍縫製すべく模様を選択しない時点では、所望の模様の糸色や色数や縫製所要時間等の付随情報をディスプレイに表示させることができないようになっている。
【０００６】
【発明が解決しようとする課題】
多数の模様データを格納した外部記録媒体をユーザーが新規に購入したような場合には、格納されている複数の模様、各模様の色数、各模様の縫製時間、等について知りたいという要請がある。或いは、新製品の展示会等においても、同様の要請がある。
しかし、従来の縫製装置用模様表示装置では、模様データで決まるサイズで模様を表示する関係上、多くの模様を同時にディスプレイに表示することが困難であること、縫製の為に模様を選択しない時点では、所望の模様の糸色や色数や縫製時間等の付随情報をディスプレイに表示させることができないこと、また、模様データに模様の外側を囲む四角枠等を表示させる為のデータが含まれている場合には、不要な四角枠等の表示データを消去して模様のみを表示し得る機能はないため、１つの模様当りの表示エリアが大きくなること、等の問題がある。
【０００７】
本発明の目的は、縫製装置用模様表示装置において、ディスプレイに多くの模様を同時に表示できるようにすること、縫製の為の模様選択とは無関係に所望の模様の付随情報を表示可能にすること、各模様から不要な四角枠を消去して正味の模様のみを表示可能にすること等である。
【０００８】
【課題を解決するための手段】
請求項１の縫製装置用模様表示装置は、複数の刺繍用の模様の模様データを格納した模様データ記憶手段と、複数の模様を表示可能なディスプレイを含む表示手段とを備えた縫製装置において、複数の模様を縮小表示する順次表示モードを設定する為のモード設定手段と、前記順次表示モードのとき模様データ記憶手段から模様データを順次読出し、模様データから模様の外側を囲む枠のデータを消去してから所定倍率で縮小した模様のデータに変換するデータ変換手段と、データ変換手段から複数の縮小模様のデータを順次受けて表示手段に供給し、複数の縮小模様をディスプレイに表示させるように表示手段に指令する表示制御手段とを備えたものである。
【０００９】
前記モード設定手段により複数の模様を縮小表示する順次表示モードが設定されると、データ変換手段は模様データ記憶手段から模様データを順次読出して所定倍率で縮小した模様のデータに変換し、表示制御手段はデータ変換手段から複数の縮小模様のデータを順次受けて表示手段に供給し、複数の縮小模様をディスプレイに表示させるように指令する。その結果、ディスプレイには複数の縮小模様が表示される。尚、ディスプレイの画面は順次切換えられるものとする。縮小模様で表示するため、多くの模様を同時に表示することができる。
【００１０】
また、模様データには、模様の外側を囲む枠のデータを含むことも少なくないが、その枠を含めて表示すると１模様当りの表示エリアが大きくなることに鑑み、データ変換手段が前記枠のデータを消去してから縮小した模様のデータに変換し、ディスプレイには枠のない正味の縮小模様のみが表示される。
【００１１】
請求項２の縫製装置用模様表示装置は、請求項１の発明において、前記ディスプレイは、表示された複数の縮小模様を個別に指定する為の複数のタッチキーを有することを特徴とするものである。それ故、ディスプレイに表示された複数の縮小模様のうちの所望の縮小模様を、それに対応するタッチキーで指定することができる。
【００１２】
請求項３の縫製装置用模様表示装置は、請求項２の発明において、前記模様データ記憶手段における各模様データは、刺繍縫製に関連する付随情報を含み、前記タッチキーを介して１つの縮小模様が指定されたとき、その指定された縮小模様に対応する前記付随情報を読み出して表示手段に表示させる付随情報表示制御手段を備えたことを特徴とするものである。ディスプレイに表示された複数のの縮小模様のうちの何れかの模様について刺繍縫製に関連する付随情報（例えば、模様を構成する複数の色別模様部とその糸色、色数、縫製時間等）を知りたい場合には、タッチキーにより所望の縮小模様を指定すると、付随情報表示制御手段が、その縮小模様に対応する付随情報を読み出して表示手段に表示させる。
【００１３】
請求項４の縫製装置用模様表示装置は、請求項３の発明において、前記模様データ記憶手段は、縫製装置の制御ユニットに着脱自在に接続される外部記録媒体であることを特徴とするものである。この外部記録媒体は、例えばＲＯＭカード、ＣＤ−ＲＯＭ等である。複数の模様の模様データを格納した新規の外部記録媒体を購入したような場合には、この模様表示装置を有効活用して外部記録媒体に格納してある複数の模様の全貌を把握することができる。
【００１４】
請求項５の縫製装置用模様表示装置は、請求項４の発明において、前記モード設定手段は、外部記録媒体が縫製装置に装着されて縫製装置の電源が投入されたときに、順次表示モードを自動的に設定するように構成されたことを特徴とするものである。それ故、外部記録媒体を縫製装置に装着して縫製装置の電源を投入すると順次表示モードが自動的に設定され、データ変換手段と表示制御手段とが作動して、複数の縮小模様がディスプレイに表示される。
【００１５】
請求項６の縫製装置用模様表示装置は、請求項５の発明において、前記モード設定手段は、縫製装置の制御ユニットの不揮発性メモリに格納されたモード設定データに基づいて順次表示モードを設定することを特徴とするものである。不揮発性メモリに格納されたモード設定データが順次表示モードを指示している場合のみ、外部記録媒体が縫製装置に装着されて縫製装置の電源が投入されたときに、順次表示モードを自動的に設定する。それ故、モード設定データを介して、順次表示モードを自動的に設定するようにしたり、順次表示モードを自動的に設定しないようにしたりすることができ、設計の自由度が高まる。
【００１６】
請求項７の縫製装置用模様表示装置は、請求項３の発明において、前記モード設定手段は、縫製装置の制御ユニットに接続されたモード設定スイッチを有することを特徴とするものである。それ故、オペレータがモード設定スイッチをオンに操作した場合だけ順次表示モードが設定されるから、オペレータが希望する場合だけオペレータの意志により順次表示モードを設定することができ、模様表示装置の使用上の自由度が高まる。
【００１７】
請求項８の縫製装置用模様表示装置は、複数の刺繍用の模様の模様データを格納した模様データ記憶手段と、複数の模様を表示可能なディスプレイを含む表示手段とを備えた縫製装置において、複数の模様を接近表示する順次表示モードを設定する為のモード設定手段と、模様データを順次読出し且つ各模様の模様データから模様の外側を囲む枠のデータを消去する処理を施してから表示手段に供給し、模様同士間の間隔を模様選択時よりも接近させて複数の模様をディスプレイに表示させるように表示手段に指令する表示制御手段とを備えたものである。
モード設定手段により順次表示モードが設定されると、表示制御手段は、模様データを順次読出して表示手段に供給し、模様同士間の間隔を模様選択時よりも接近させて複数の模様をディスプレイに表示させるように表示手段に指令する。その結果、ディスプレイには複数の模様が模様選択時よりも接近して表示される。
尚、ディスプレイの画面は順次切換えられるものとする。模様選択時よりも接近して表示するため、多くの模様を同時に表示することができ、模様の外側を囲む枠を除去した正味の模様が複数表示されるため、ディスプレイの１画面には一層多くの模様を表示させることができる。
【００１８】
【００１９】
請求項９の縫製装置用模様表示装置は、請求項８の発明において、前記表示制御手段は、各模様を縮小する処理を各模様の模様データに施すことを特徴とするものである。それ故、複数の模様を夫々縮小した状態でディスプレイに表示することができ、ディスプレイの１画面には一層多くの模様を表示させることができる。
【００２０】
【発明の実施の形態】
以下、本発明の実施形態について図面を参照しながら説明する。本実施形態は、刺繍装置を着脱可能に装着して種々の刺繍模様の縫製が可能な刺繍装置付き電子制御式刺繍ミシンに本発明の模様表示装置を適用した場合の例である。電子制御式刺繍ミシンＭは、図１に示すように、ミシンベッド部１と、ベッド部１の右端部から立設された脚柱部２と、脚柱部２の上端からベッド部１に対向するように左方へ延びるアーム部３を有する。
【００２１】
ベッド部１には、送り歯を上下動させる送り歯上下動機構（図示略）及び前後動させる送り歯前後動機構（図示略）、下糸ボビンを収容し縫針５と協働する糸輪捕捉器（例えば、水平釜）等が設けられている。脚柱部２には、オプション的に追加される多数の刺繍模様の模様データ（刺繍データと模様表示データ）を格納したＲＯＭカード７（外部記録媒体）を、内部のカード用コネクタ３０（図２参照）に接続する為のカード用スロット８が形成されている。
【００２２】
アーム部３には、下端に縫針５を装着した針棒６を上下動させる針棒駆動機構、針棒６を布送り方向と直交する方向に揺動させる針棒揺動機構（図示略）、天秤を針棒６の上下動に調時して上下動させる天秤駆動機構（図示略）等が設けられている。尚、送り歯上下動機構と針棒駆動機構と天秤駆動機構とはミシンモータ３１で駆動され、針棒揺動機構は針棒揺動用ステッピングモータ３２で駆動され、送り歯前後動機構は送り歯前後駆動用ステッピングモータ３３で駆動される（図２参照）。アーム部３の頭部４には、縫製作業の起動と停止を指令する起動・停止スイッチ９が設けられている。脚柱部２の前面には液晶ディスプレイ１０が設けられ、この液晶ディスプレイ１０には、実用模様や刺繍模様等の種々の模様や各種のメッセージ等が表示される。液晶ディスプレイ１０の下側には９個の各種機能キーを備えた操作パネル１１が設けられている。
【００２３】
前記ベッド部１の左端側部分には、通称フリーアームと称されるフリーベッド部が形成され、フリーベッド部に刺繍装置１２が着脱可能に装着される。この刺繍装置１２は、その本体ケース１３と、加工布を着脱自在に装着する刺繍枠１４と、刺繍枠１４をＹ方向（前後方向）へ駆動するＹ方向駆動機構を内蔵した収容ケース１５と、収容ケース１５とその内部のＹ方向駆動機構をＸ方向（左右方向）へ駆動するＸ方向駆動機構であって本体ケース１３内に収容されたＸ方向駆動機構とを備えており、Ｘ方向駆動機構は第１ステッピングモータ３５で駆動され、Ｙ方向駆動機構は第２ステッピングモータ３６で駆動される（図２参照）。
【００２４】
刺繍装置１２がフリーベッド部に装着されると、第１，第２ステッピングモータ３５，３６が、コネクタ１６を介してミシンＭの制御装置２０に電気的に接続され、制御装置２０により第１，第２ステッピングモータ３５，３６が駆動制御され、刺繍枠１４と加工布とをＸ方向とＹ方向とに独立に移動駆動しつつ刺繍縫製できる状態になる。
【００２５】
次に、ミシンＭの制御系について説明する。
図２に示すように、制御装置２０（制御ユニット）は、入力インターフェース２１と、ＣＰＵ２３とＲＯＭ２４とＲＡＭ２５とを含むコンピュータと、出力インターフェース２６と、EEPROM２７と、これらを接続するバス２２と、コネクタ１６とを有する。入力インターフェース２１には、起動・停止スイッチ９、操作パネル１１、ミシン主軸の複数の回転位相を検出するタイミング信号発生器２８、ディスプレイ１０の画面に組み込まれたタッチパネル２９が夫々接続されている。前記ディスプレイ１０に設けたタッチパネル２９には例えば５行６列の計３０個のタッチキーが全面に亙って仮想的に設けられている。
【００２６】
そのタッチパネル２９は、アナログ式タッチパネルであり、このアナログ式タッチパネルでは、押圧検出面全体の押圧に基づく抵抗が生じ、ＣＰＵ２３はその抵抗値に基づき押圧個所を非常に細かい単位（範囲）毎に検出できる。ＣＰＵ２３により前記抵抗値とディスプレイ１０上の表示位置とが対応付けられる。本実施形態においては、図６に示す３０個の模様（５行６列の模様）を個々に選択できるように、図４に示すように抵抗値が自動的に設定される。また、図５に示す通常の模様選択画面（Ｓ３における表示）に合わせて、１５個の模様（３行５列の模様）とその下の「次ページ」キー１０ａとの選択（押圧）を検出できるように抵抗値が自動的に設定される。尚、アナログ式タッチパネルでは、複数個所が押圧されるとその中間付近が押圧されたように抵抗値が検出される。
【００２７】
出力インターフェース２６には、ミシンモータ３１、針棒揺動用ステッピングモータ３２、送り歯前後駆動用ステッピングモータ３３、液晶ディスプレイ１０であるＬＣＤの為のディスプレイコントローラ（ＬＣＤＣ）３４と、刺繍装置１２の第１，第２ステッピングモータ３５，３６が夫々接続されたコネクタ１６等が続されている。尚、出力インターフェース２６は、モータ３１〜３３，３５，３６を夫々駆動する為の複数の駆動回路を含むものである。前記ＲＯＭカード７のＲＯＭ７ａは、コネクタ３０を介してバス２２に接続されている。
【００２８】
ＲＯＭ２４には、複数の実用縫目の縫目データと、比較的使用頻度の高い多数の刺繍模様の模様データとが格納され、多数の刺繍模様の模様データは、刺繍模様の種類別にグループ分けして格納されている。前記ＲＯＭカード７のＲＯＭ７ａには、比較的使用頻度の低い多数の刺繍模様の模様データとが格納され、多数の刺繍模様の模様データは、刺繍模様の種類別にグループ分けして格納されている。尚、複数枚のＲＯＭカード７のうちの１つがカード用スロット８に装着される。尚、多数の刺繍模様には、種々の種類の文字、図形や形象、マーク、キャラクター（例えば、テレビや映画等に登場する著名な人物、動物、ロボット等）等がある。
【００２９】
模様番号に関して、各刺繍模様の模様データに模様番号のデータは付加されていないが、ＲＯＭ２４に格納した刺繍模様の先頭のものから順に模様番号０，１，２，・・・となり、その模様番号の最後の模様番号に続けて、ＲＯＭ７ａに格納した刺繍模様の先頭のものから順に模様番号がカウントされる。尚、但し、ＲＯＭ２４に刺繍模様の模様データを格納せずに、全ての刺繍模様の模様データをＲＯＭカード７のＲＯＭ７ａに格納してもよい。
【００３０】
図３は、ＲＯＭ２４の模様データのデータ構造を示すものであり、ＲＯＭ２４には複数の刺繍模様の模様データが格納され、先頭のものから順に模様番号Ｉが０，１，２，・・・とカウントされる。各刺繍模様の模様データは、刺繍模様を表示する為の模様表示データと、刺繍縫製の為の縫製データと、付随情報を表示する為の付随情報表示データとからなる。図５は１５個の刺繍模様をそれらの模様表示データを用いて表示した例であり、前記各刺繍模様の模様表示データは、刺繍模様とその外側を囲む四角枠とを表示するデータを含む。図７は、縮小した縮小模様（パンダの模様）とその付随情報とを表示した例であり、この図から判るように、各刺繍模様の付随情報には、模様の番号と、枠取りした複数の色別模様部と、各色別模様部の糸色と、糸色の総数と、縫製時間とが含まれている。尚、模様表示データと付随情報表示データとは夫々ビットマップデータ（ドットイメージデータ）の形で格納されている。尚、ＲＯＭ７ａの模様データの構造も図３に示すものと同様である。
【００３１】
前記ＲＯＭ２４には、さらに、実用模様を縫製する縫製制御や表示制御の一般的な制御プログラムに加えて、ＲＯＭ２４，７ａに格納した複数の刺繍模様を所定数ずつディスプレイ１０に表示させながら所望の刺繍模様を選択する模様選択処理と、選択した刺繍模様に対してディスプレイ１０を介してサイズ設定や位置設定等の編集処理を施す編集処理と、選択された刺繍模様を刺繍縫製する刺繍縫製処理とを含む模様選択編集縫製制御の制御プログラム、本願特有の後述の模様表示制御の制御プログラム、等々が予め入力格納されている。前記ＲＡＭ２５には、前記種々の制御に必要なメモリ類（フラグやポインタやカウンタ等のメモリ、レジスタやバッファ等）が設けられている。前記EEPROM２７には後述の順次表示モードを設定するモード設定データ（フラグデータ）が予め格納されている。
【００３２】
ここで、本願特有の模様表示制御について簡単に説明すると、図６は、順次表示モード下に、刺繍模様を所定倍率で縮小した縮小模様を、例えば３０個ずつディスプレイ１０に５行６列のマトリックス状（前記タッチパネル２９のタッチキーに対応するマトリックス状）に表示した状態を示し、模様番号の早いものから順にディスプレイ１０の画面一杯に表示し、縮小模様の付随情報を知りたいときにタッチキーを介して縮小模様が指定されると、例えば図７に示すように、縮小模様とその付随情報とが表示される。
【００３３】
そして、その付随情報の表示後にはディスプレイ１０の画面が元の画面に復帰し、タッチキーによる縮小模様の指定がなされなると、次の３０個の縮小模様がディスプレイ１０に表示され、以下同様に繰り返していき、最後の縮小模様が表示されるまで前記のような表示が実行され、最後の縮小模様の次から第１番目の縮小模様へ戻って同様に繰り返す。尚、ＲＯＭ２４の最後の刺繍模様の次には、ＲＯＭ７ａの先頭の刺繍模様へ移行する。こうして、ディスプレイ１０に極力多くの縮小模様を表示させ、表示中の模様のうちの指定された模様については付随情報を表示させ、全部の縮小模様が表示されるまで表示内容が順次自動的に切換えられていく。
【００３４】
次に、この模様表示制御のルーチンについて、図８、図９のフローチャートを参照しながら説明する。但し、図中符号Ｓｉ（ｉ＝１，２，・・・・）は各ステップを示すものである。刺繍ミシンＭの電源が投入されると、この制御が開始され、最初にＲＯＭカード７が接続（装着）されているか否か判定され（Ｓ１）、その判定が No のときはＳ３の通常の処理（この模様表示制御とは関係のない処理）が実行され、その通常の処理の終了とともにこの制御も終了する。
【００３５】
Ｓ１の判定がYes のときは、EEPROM２７のモード設定データが「１」で順次表示モードを指示しているか否か判定し（Ｓ２）、その判定が No のときはＳ３へ移行する。Ｓ２の判定がYes のときは、ソフトカウンタでカウントされる模様番号Ｉを０にしたり、図４、図６に示す仮想的な検出領域設定等の初期設定が実行される（Ｓ４）。次に、ＲＯＭ２４，７ａの模様データとを検索することにより最終模様番号Ｉmax （模様の総数）が演算されＲＡＭ２５のメモリに格納される（Ｓ５）。
【００３６】
次に、模様表示位置カウンタＪが０に初期化される（Ｓ６）。この模様表示位置について図４により説明すると、ディスプレイ１０の画面が５行６列のマトリックス状に分割され、図示のように模様表示位置がＪ＝０，１，２，・・・２９と設定されており、５行６列（複数行複数列）の３０個の模様表示位置に５行６列の３０個のタッチキーが対応している。次に、Ｉ番目の模様データのうちの模様表示データが読み込まれ（Ｓ７）、次にその模様表示データに四角枠の表示データが有るか否か判定され（Ｓ８）、その判定がYes のときは模様表示データから四角枠の表示データが消去されて（Ｓ９）Ｓ１０へ移行し、Ｓ８の判定が No のときはそのままＳ１０へ移行する。このように、四角枠の表示データを消去するのは、各模様の表示エリアを極力小さくすることで、１画面に極力多くの模様を表示する為である。
【００３７】
次にＳ１０においては、模様表示データを縮小処理することなく表示したときの刺繍模様を所定倍率で縮小した縮小模様として表示させる為に、模様表示データが縮小模様の縮小模様表示データに変換処理され、そのデータがＲＡＭ２５の表示データメモリに格納される。次に、Ｊ番目の模様表示位置に縮小模様を表示させる制御信号がディスプレイコントローラ３４に出力され、Ｊ番目の模様表示位置に縮小模様が表示される（Ｓ１１）。図６における模様同士間の間隔は、図５に示す模様選択時の模様同士間の間隔（模様の外側を囲む四角枠を除いた正味の模様同士間の間隔）よりも接近している。
【００３８】
次に、Ｉ＝Ｉmax か否か判定し（Ｓ１２）、その判定が No のときはＪ＝２９か否か判定し（Ｓ１３）、その判定が No のときはＩとＪとが夫々１だけインクリメントされ（Ｓ１４）、その後Ｓ７へ戻りＳ７以降が繰り返し実行されるので、図６に例示したように、ディスプレイ１０のＪ＝０，１，２，・・・２９の模様表示位置に、Ｉ＝０，１，２，・・・２９の模様番号の縮小模様が表示されることになる。
【００３９】
その結果、Ｓ１３の判定がYes になると、タッチパネル２９に対するキースキャンが実行され（Ｓ１５）、何れかのタッチキーを押して何れかの縮小模様が指定されたか否か判定される（Ｓ１６）。何れかの縮小模様が指定された場合には指定された縮小模様の模様番号Ｋがキースキャン信号に基づいて演算される（Ｓ１７）。次にＫ番目の模様の模様データのうちの付随情報の表示データが読み込まれ（Ｓ１８）、次にディスプレイ１０に表示していた複数の縮小模様を消去する指令がディスプレイコントローラ３４に出力され（Ｓ１９）、次にＳ２０において、Ｋ番目の縮小模様とその付随情報とがディスプレイ１０に表示される。つまり、Ｋ番目の縮小模様がＪ＝０の模様表示位置に表示され、その他の模様表示位置に模様番号と複数の色別模様部と糸色と色数と縫製時間とが表示されることになる。
【００４０】
次に、操作パネル１１の何れかのキーが操作されたか否か判定し（Ｓ２１）、その判定が No のときはディスプレイ１０の画面が前記キースキャン直前の前回画面に復帰され（Ｓ２２）、その後Ｓ１５へ戻り、Ｓ１５以降が繰り返される。それ故、復帰した前回画面において別の縮小模様を指定してその付随情報を表示させることがことができ、所望の回数だけ縮小模様の指定とその付随情報の表示とを行なわせることができる。
【００４１】
そして、その画面における縮小模様の指定がなされなくなるとＳ１６の判定が No となってＳ２４へ移行してＳ１６の判定が No となった以降の継続時間を計時する計時処理が実行され、その計時にて所定時間（例えば２秒）経過したか否か判定し（Ｓ２５）、その判定が No のときはＳ１５へ移行してＳ１５以降を繰り返し、Ｓ２５の判定がYes になると、Ｉ＝Ｉmax か否か判定し（Ｓ２６）、Ｉ＝Ｉmax でない場合（Ｓ２６： No ）にはＳ２７において模様番号Ｉを１つだけインクリメントしてからＳ６へ戻り、Ｓ６以降を繰り返す。尚、Ｓ２４とＳ２５を設けて所定時間の経過後にＳ２６へ移行するので、その所定時間の間ディスプレイ１０の画面が保持され、同一画面において別の縮小模様を指定することが可能になる。
【００４２】
それ故、次のＩ＝３０，３１，・・・・５９の３０個の縮小模様がＪ＝０，１，２，・・・２９の模様表示位置に順次表示されると、Ｓ１３の判定がYes となり、Ｓ１５以降が前記と同様に繰り返され、その後前記と同様にして３０個ずつの縮小模様がディスプレイ１０に順次表示され、ディスプレイ１０の画面が一杯になる毎に、Ｓ１５以降が前記と同様に繰り返される。そして、最終の縮小模様まで表示されると、Ｓ２６の判定がYes となってＳ４へ移行しＳ４移行が繰り返される。つまり、最初の縮小模様から前記のような表示がなされることになる。  尚、Ｓ２１の判定がYes のときはＳ２３において操作されたキーに対応する処理が実行され、その後この制御が終了する。例えば、操作パネル１１の「終了」キーを操作すると、この模様表示制御が終了する。
【００４３】
次に、以上説明した模様表示装置の作用、効果について説明する。
順次表示モードを設定するモード設定データをEEPROM２７に格納しておき、順次表示モードのときには、ＲＯＭ２４，７ａから、複数の刺繍模様の模様データのうちの模様表示データを順次読出し、刺繍模様を所定倍率で縮小する変換処理を施し、複数の縮小模様をディスプレイ１０に５行６列に表示できるため、ディスプレイ１０に多くの刺繍模様を同時に表示でき、最初の縮小模様から最終の縮小模様に亙って順次表示できるから、複数の模様を確認するのに便利であり、縮小模様にして表示するため多くの模様を同時に表示することができる。特に、複数の模様を格納したＲＯＭカード７を新規に購入した場合等に、それら模様を確認するのに便利である。
【００４４】
模様表示データから模様の外側を囲む四角枠の表示データを消去してから縮小した縮小模様のデータに変換するため、ディスプレイ１０には四角枠のない正味の縮小模様のみが５行６列に表示される。それ故、縮小模様を四角枠付きで表示する場合よりも多くの縮小模様をディスプレイ１０の１画面に表示することができるため画面の切換え回数も少なくなり能率的である。
【００４５】
ディスプレイ１０はタッチパネル２９を有し、このタッチパネル２９に、５行６列に表示された複数の縮小模様を個別に指定する為の例えば３０個のタッチキーを設けたので、ディスプレイ１０に表示された多くの縮小模様のうちの所望の縮小模様を、それに対応するタッチキーで指定することで指定することができ、タッチキーにより所望の刺繍模様を指定することで、その縮小模様に対応する付随情報（複数の色別模様部、糸色、色数、縫製時間等）を読み出してディスプレイ１０に表示させることができるから、１つまたは複数の所望の模様について順次タッチキーの操作を介して付随情報を知ることができる。しかも、この模様表示制御は、刺繍縫製の為に模様を選択する模様選択制御とは独立の制御であるので、刺繍縫製の為に模様を選択しない時点においても、１つまたは複数の所望の模様についての付随情報を知ることができる。
【００４６】
ＲＯＭカード７は、ミシンの制御装置２０に着脱自在に接続される外部記録媒体であり、複数の模様の模様データを格納した新規のＲＯＭカード７を購入したような場合には、この模様表示制御を介してＲＯＭカード７に格納してある複数の模様の全貌を把握することができる。EEPROM２７に順次表示モードを設定するデータを予め格納しておくので、ＲＯＭカード７をミシンに装着してミシンの電源を投入すると順次表示モードが自動的に設定されるため、縫製しようとする刺繍模様の選択に先行して、ディスプレイ１０に順次表示される多数の縮小模様を視て刺繍したい刺繍模様を決定したり、各刺繍模様の付随情報を知ってから刺繍したい刺繍模様を決定したりするのに便利である。
【００４７】
EEPROM２７に予め格納されたモード設定データが順次表示モードを指示している場合のみ、順次表示モードが自動的に設定されるので、モード設定データを介して、順次表示モードを自動的に設定するようにしたり、順次表示モードを自動的に設定しないようにしたりすることができ、設計の自由度が高まる。
上述した実施の形態では、画面が３０個の模様で一杯になると、画面が自動的に次の画面（３１〜６０番目の模様）に切り換わる。そして、このような自動画面切換えに不要な手動操作の為の次ページキー１０ａを画面上から削除し、その代わりに模様を表示しているので、一層多くの模様を表示することができる。
【００４８】
次に、前記実施形態を部分的に変更する変更例について説明する。
１）ミシンの操作パネル１１の近傍部に、制御装置２０に接続されたモード設定スイッチを設け、オペレータがそのモード設定スイッチをオンに操作した場合だけ順次表示モードが設定されるように構成してもよく、その場合オペレータが希望するときだけオペレータの意志により順次表示モードを設定することができ、模様表示装置の使用上の自由度が高まる。
２）ＲＯＭカード７のＲＯＭ７ａの先頭エリアに、順次表示モードを設定する為のモード設定データ（フラグデータ）を格納しておき、そのモード設定データに基づいて順次表示モードを設定するように構成してもよい。
【００４９】
３）模様表示データから四角枠の表示データを消去することなく、縮小模様表示データに変換して、四角枠付きのまま表示させるように構成してもよい。
４）ディスプレイ１０のタッチパネル２９を省略し、操作パネル１１にテンキーを設け、表示された縮小模様を指定する際にテンキーから番号を入力して指定するように構成してもよい。
【００５０】
５）順次表示モードにおいて複数の縮小模様をディスプレイ１０に表示した画面をカーソル移動キーの操作を介してスクロールさせるように構成してもよい。
６）順次表示モードにおいてディスプレイ１０に表示する複数の縮小模様の配列は５行６列に限定されず、適宜の数や配列にて表示してもよい。
【００５１】
７）上記タッチパネル２９は、所謂アナログ式のタッチパネルであったが、格子で区分された複数の領域のうち各領域を検出するディジタル式タッチパネルであってもよい。その場合、格子で区分された領域は、図５と図６の模様の表示（キーとしての表示）よりも小さく、その領域の区切りがディスプレイ１０上の表示の区切りに対応して位置し、的確に選択できるようになっていることが望ましい。本実施形態の場合、図５と図６の模様の表示の両方に対応すべく、行について図５の４行（模様３行、次ページキーを１行とする）の「４」と、図６の５行の「５」との最小公倍数「２０」と、列についての図５の５列の「５」と図６の６列の「６」との最小公倍数「３０」とに基づき、２０行３０列に等間隔で区切られた検出領域を有するディジタル式タッチパネルを用ればよい。
【００５２】
８）図１０は、順次表示モードのとき、各模様の模様表示データに四角枠を消去する処理を施し、各模様を縮小する処理を施すことなく、複数の模様（正味の模様）の模様同士間間隔を模様選択時よりも接近させて表示させた例であり、このように表示することによってもディスプレイ１０の１画面に多くの模様を表示することができる。
【００５３】
【発明の効果】
請求項１の発明によれば、モード設定手段とデータ変換手段と表示制御手段とを設け、順次表示モードのときには、模様データ記憶手段に記憶した複数の模様の模様データを順次読出し、模様データから模様の外側を囲む枠のデータを消去してから模様を所定倍率で縮小する変換処理を施し、複数の枠のない正味の縮小模様をディスプレイに表示できるため、ディスプレイに多くの模様を同時に表示でき、画面の切換え回数も少なくて済むので能率的に複数の模様を確認することができる。特に、複数の模様を格納した外部記録媒体を新規に購入した場合等に、それらの模様を確認するのに便利である。
【００５４】
【００５５】
請求項２の発明によれば、ディスプレイは、表示された複数の縮小模様を個別に指定する為の複数のタッチキーを有するので、ディスプレイに表示された複数の縮小模様のうちの所望の縮小模様を、それに対応するタッチキーで指定することができる。その他請求項１と同様の効果を奏する。
【００５６】
請求項３の発明によれば、ディスプレイに表示された複数の縮小模様のうちの何れかの模様について刺繍縫製に関連する付随情報（例えば、模様を構成する複数の色別模様部とその糸色、色数、縫製時間等）を知りたい場合には、タッチキーにより所望の縮小模様を指定すると、付随情報表示制御手段が、その縮小模様に対応する付随情報を読み出して表示手段に表示させる。それ故、１つまたは複数の所望の模様について順次タッチキーの操作を介して付随情報を知ることができる。しかも、刺繍縫製の為に模様を選択しない時点においても、１つまたは複数の所望の模様についての付随情報を知ることができる。その他請求項２と同様の効果を奏する。
【００５７】
請求項４の発明によれば、模様データ記憶手段は、縫製装置の制御ユニットに着脱自在に接続される外部記録媒体であり、複数の模様の模様データを格納した新規の外部記録媒体を購入したような場合には、この模様表示装置を有効活用して外部記録媒体に格納してある複数の模様の全貌を把握することができる。その他請求項３と同様の効果を奏する。
【００５８】
請求項５の発明によれば、外部記録媒体を縫製装置に装着して縫製装置の電源を投入すると順次表示モードが自動的に設定され、データ変換手段と表示制御手段とが作動して、複数の刺繍模様がディスプレイに表示されるので、ディスプレイに表示された縮小模様を視て刺繍縫製したい模様を決定したり、各模様の付随情報を知ってから刺繍縫製したい模様を決定したりするのに便利である。その他請求項４と同様の効果を奏する。
【００５９】
請求項６の発明によれば、前記モード設定手段は、縫製装置の制御ユニットの不揮発性メモリに格納されたモード設定データが順次表示モードを指示している場合のみ、外部記録媒体が縫製装置に装着されて縫製装置の電源が投入されたときに、順次表示モードを自動的に設定する。それ故、モード設定データを介して、順次表示モードを自動的に設定するようにしたり、順次表示モードを自動的に設定しないようにしたりすることができ、設計の自由度が高まる。その他請求項５と同様の効果を奏する。
【００６０】
請求項７の発明によれば、前記モード設定手段は、縫製装置の制御ユニットに接続されたモード設定スイッチを有するので、オペレータがモード設定スイッチをオンに操作した場合だけ順次表示モードが設定されるから、オペレータが希望する場合だけオペレータの意志により順次表示モードを設定することができ、模様表示装置の使用上の自由度が高まる。その他請求項３と同様の効果を奏する。
【００６１】
請求項８の発明によれば、モード設定手段と、表示制御手段とを設け、順次表示モードのときには、各模様の模様データから模様の外側を囲む枠のデータを消去する処理を施し、模様同士間の間隔を模様選択時よりも接近させて複数の模様をディスプレイに表示させるので、ディスプレイには模様の外側を囲む枠を除去した複数の模様が模様選択時よりも接近して表示されるから、ディスプレイの１画面には一層多くの模様を同時に表示することができる。
【００６２】
【００６３】
請求項９の発明によれば、表示制御手段により各模様を縮小する処理を各模様の模様データに施して表示させるので、複数の模様を夫々縮小した状態でディスプレイに表示することができ、ディスプレイの１画面には一層多くの模様を表示させることができる。その他請求項８と同様の効果を奏する。
【図面の簡単な説明】
【図１】本発明の実施形態に係る電子制御式刺繍ミシンの斜視図である。
【図２】ミシンの制御系のブロック図である。
【図３】模様データのデータ構造の説明図である。
【図４】ディスプレイの模様表示位置の説明図である。
【図５】模様選択時にディスプレイに表示された複数の刺繍模様の表示例を示す図である。
【図６】模様表示制御によりディスプレイに表示された複数の縮小模様の表示例を示す図である。
【図７】模様表示制御によりディスプレイに表示された１つの縮小模様とその付随情報の表示例の図である。
【図８】模様表示制御のルーチンのフローチャートの一部である。
【図９】前記模様表示制御のルーチンのフローチャートの残部である。
【図１０】変更例に係る模様表示制御によりディスプレイに表示された複数の刺繍模様の表示例を示す図である。
【符号の説明】
Ｍ      電子制御式刺繍ミシン
７      ＲＯＭカード
１０    ディスプレイ
２０    制御装置
２７    EEPROM
７ａ，２４      ＲＯＭ
２９    タッチパネル
【図１】
0003941163.tif 000002
【図２】
0003941163.tif 000003
【図３】
0003941163.tif 000004
【図４】
0003941163.tif 000005
【図５】
0003941163.tif 000006
【図６】
0003941163.tif 000007
【図７】
0003941163.tif 000008
【図８】
0003941163.tif 000009
【図９】
0003941163.tif 000010
【図１０】
0003941163.tif 000011